(57)【要約】【課題】  複数の分割発光部の発光を独立して制御可能な発光制御部を有する表示制御装置において、オブジェクト画像の表示位置及び表示領域の少なくともいずれか一方が変化しても、色ムラ等の画質劣化を抑制するように分割発光部の制御を行う。【解決手段】  表示部に表示する所定のオブジェクト画像の表示領域に関する座標情報から、オブジェクト画像の表示位置及び表示領域が変化していないと判断された場合、複数の分割発光部の発光を独立して制御し、オブジェクト画像の表示位置及び表示領域のうち少なくともいずれか一方が変化したと判断された場合、複数の分割発光部を略同一の輝度で発光させるように制御する。【選択図】  図１
2015179280.tif 000002
【特許請求の範囲】
【請求項１】
表示部に所定のオブジェクト画像を表示する制御を行う表示制御手段と、
前記表示部を分割した複数の分割領域に対応する複数の分割発光部の発光を独立して制御可能な発光制御手段と、
前記表示部における前記オブジェクト画像の表示領域に関する座標情報を取得する取得手段と、
前記取得手段によって取得された前記オブジェクト画像の表示領域に関する座標情報に基づいて、前記表示部に表示される前記オブジェクト画像の表示位置及び表示領域のうち少なくともいずれか一方が変化したか否かを判断する判断手段と、を有し、
前記判断手段により前記オブジェクト画像の表示位置及び表示領域が変化していないと判断された場合、前記発光制御手段は、前記表示制御手段により前記複数の分割発光部の発光を独立して制御し、
前記判断手段により前記オブジェクト画像の表示位置及び表示領域のうち少なくともいずれか一方が変化したと判断された場合、前記発光制御手段は、前記複数の分割発光部を略同一の輝度で発光させるように制御することを特徴とする表示制御装置。
【請求項２】
前記判断手段により前記オブジェクト画像の表示位置が単位時間に所定値以上変化したと判断された場合、及び前記オブジェクト画像の表示領域が単位時間に所定値以上変化したと判断された場合のうち少なくともどちらか一方において、前記発光制御手段は、前記複数の分割発光部を略同一の輝度で発光させるように制御することを特徴とする請求項１に記載の表示制御装置。
【請求項３】
前記判断手段により前記オブジェクト画像の表示位置及び表示領域のうち少なくともいずれか一方が変化したと判断された場合、前記発光制御手段は、前記判断手段により前記オブジェクト画像の表示位置及び表示領域のうち少なくともいずれか一方が変化したと判断がなされた際の前記複数の分割発光部の平均輝度で、前記複数の分割発光部を略同一に発光させるように制御することを特徴とする請求項１または２に記載の表示制御装置。
【請求項４】
前記判断手段により前記オブジェクト画像の表示位置及び表示領域のうち少なくともいずれか一方が変化したと判断された場合、前記発光制御手段は、前記変化前の前記オブジェクト画像の表示領域に対応する分割発光部の輝度で前記複数の分割発光部を発光させるように制御することを特徴とする請求項１または２に記載の表示制御装置。
【請求項５】
表示部に所定のオブジェクト画像を表示する制御を行う表示制御手段と、
前記表示部を分割した複数の分割領域に対応する複数の分割発光部の発光を独立して制御可能な発光制御手段と、
前記表示部における前記オブジェクト画像の表示領域に関する座標情報を取得する取得手段と、
前記取得手段によって取得された前記オブジェクト画像の表示領域に関する座標情報に基づいて、前記表示部に表示される前記オブジェクト画像の表示位置及び表示領域のうち少なくともいずれか一方が変化したか否かを判断する判断手段と、
前記取得手段によって取得された前記オブジェクト画像の表示領域に関する座標情報に基づいて、前記表示部に表示される前記オブジェクト画像の表示位置の変化方向または表示領域の変化方向を検出する検出手段と、を有し、
前記判断手段により前記オブジェクト画像の表示位置及び表示領域が変化していないと判断された場合、前記発光制御手段は、前記表示制御手段により前記複数の分割発光部の発光を独立して制御し、
前記判断手段により前記オブジェクト画像の表示位置及び表示領域のうち少なくともいずれか一方が変化したと判断された場合、前記オブジェクト画像の表示領域に対応する前記分割発光部に対して、前記オブジェクト画像の表示位置の変化方向または表示領域の変化方向の分割発光部を、前記変化前の前記オブジェクト画像の表示領域に対応する分割発光部の輝度で発光させるように制御することを特徴とする表示制御装置。
【請求項６】
表示部に所定のオブジェクト画像を表示する制御を行う表示制御工程と、
前記表示部を分割した複数の分割領域に対応する複数の分割発光部の発光を独立して制御する発光制御工程と、
前記表示部における前記オブジェクト画像の表示領域に関する座標情報を取得する取得工程と、
前記取得工程によって取得された前記オブジェクト画像の表示領域に関する座標情報に基づいて、前記表示部に表示される前記オブジェクト画像の表示位置及び表示領域のうち少なくともいずれか一方が変化したか否かを判断する判断工程と、を有し、
前記判断工程により前記オブジェクト画像の表示位置及び表示領域が変化していないと判断された場合、前記発光制御工程は、前記表示制御工程により前記複数の分割発光部の発光を独立して制御し、
前記判断工程により前記オブジェクト画像の表示位置及び表示領域のうち少なくともいずれか一方が変化したと判断された場合、前記発光制御工程は、前記複数の分割発光部を略同一の輝度で発光させるように制御することを特徴とする表示制御装置の制御方法。
【請求項７】
表示部に所定のオブジェクト画像を表示する制御を行う表示制御工程と、
前記表示部を分割した複数の分割領域に対応する複数の分割発光部の発光を独立して制御する発光制御工程と、
前記表示部における前記オブジェクト画像の表示領域に関する座標情報を取得する取得工程と、
前記取得工程によって取得された前記オブジェクト画像の表示領域に関する座標情報に基づいて、前記表示部に表示される前記オブジェクト画像の表示位置及び表示領域のうち少なくともいずれか一方が変化したか否かを判断する判断工程と、
前記取得工程によって取得された前記オブジェクト画像の表示領域に関する座標情報に基づいて、前記表示部に表示される前記オブジェクト画像の表示位置の変化方向または表示領域の変化方向を検出する検出工程と、を有し、
前記判断工程により前記オブジェクト画像の表示位置及び表示領域が変化していないと判断された場合、前記発光制御工程は、前記表示制御工程により前記複数の分割発光部の発光を独立して制御し、
前記判断工程により前記オブジェクト画像の表示位置及び表示領域のうち少なくともいずれか一方が変化したと判断された場合、前記オブジェクト画像の表示領域に対応する前記分割発光部に対して、前記オブジェクト画像の表示位置の変化方向または表示領域の変化方向の分割発光部を、前記変化前の前記オブジェクト画像の表示領域に対応する分割発光部の輝度で発光させるように制御することを特徴とする表示制御装置の制御方法。
【発明の詳細な説明】
【技術分野】
【０００１】
本発明は、複数の発光部の発光を独立して制御可能な発光制御部を有する表示制御装置及びその制御方法に関するものである。
【背景技術】
【０００２】
従来、液晶表示装置は、液晶表示パネルの表示領域の背面側に、複数の発光素子がマトリクス状に配置された複数の発光部（バックライト光源部）を有し、発光部に用いられる発光素子としては、例えば蛍光灯またはＬＥＤ（発光ダイオード）等がある。各発光素子の輝度は流す電流値によって制御される。
【０００３】
特許文献１に開示されているように、液晶表示装置では、表示部を分割した複数の分割領域に対応する複数の分割発光部の発光を独立して制御することができる。このような制御をローカルディミング制御という。表示する画像に、局所的に階調が低い領域と、局所的に階調が高い領域とが含まれている場合にローカルディミング制御を行うと、各領域に対応する分割発光部の輝度を独立に制御できるため、コントラスト感を高めることが出来る。
【０００４】
また、画像の表示領域において充分かつ均一に画像を表示する技術として、特許文献２に開示されているように、指定した表示領域より広い範囲に対応する分割発光部を点灯させる制御を行う技術がある。
【先行技術文献】
【特許文献】
【０００５】
【特許文献１】特開２００７−１８３６０８号公報
【特許文献２】特開２００８−８３５９２号公報
【発明の概要】
【発明が解決しようとする課題】
【０００６】
しかし、発光部のローカルディミング制御を行う場合、表示画面上のオブジェクト画像（ＧＵＩ等）の表示形態（表示位置または表示領域のサイズ等）をユーザの入力等により変化させた場合、変化が速いとローカルディミング制御の処理が追従できない。例えば、オブジェクト画像の表示位置や表示領域を所定の速度より速く変化させてしまうと、ローカルディミング制御の処理が追従できず、変化したオブジェクト画像内や、該オブジェクト画像の周辺部に色ムラ等の画像劣化が生じる場合がある。
【０００７】
そこで本発明は、複数の分割発光部の発光を独立して制御可能な発光制御部を有する表示制御装置において、オブジェクト画像の表示位置及び表示領域の少なくともいずれか一方が変化しても、色ムラ等の画質劣化を抑制することを目的とする。
【課題を解決するための手段】
【０００８】
上記目的を達成するために、本発明の表示制御装置は、表示部に所定のオブジェクト画像を表示する制御を行う表示制御手段と、前記表示部を分割した複数の分割領域に対応する複数の分割発光部の発光を独立して制御可能な発光制御手段と、前記表示部における前記オブジェクト画像の表示領域に関する座標情報を取得する取得手段と、前記取得手段によって取得された前記オブジェクト画像の表示領域に関する座標情報に基づいて、前記表示部に表示される前記オブジェクト画像の表示位置及び表示領域のうち少なくともいずれか一方が変化したか否かを判断する判断手段と、を有し、前記判断手段により前記オブジェクト画像の表示位置及び表示領域が変化していないと判断された場合、前記発光制御手段は、前記表示制御手段により前記複数の分割発光部の発光を独立して制御し、前記判断手段により前記オブジェクト画像の表示位置及び表示領域のうち少なくともいずれか一方が変化したと判断された場合、前記発光制御手段は、前記複数の分割発光部を略同一の輝度で発光させるように制御することを特徴とする。
【発明の効果】
【０００９】
本発明により、複数の分割発光部の発光を独立して制御可能な発光制御部を有する表示制御装置において、オブジェクト画像の表示位置及び表示領域の少なくともいずれか一方が変化しても、色ムラ等の画質劣化を抑制することができる。
【図面の簡単な説明】
【００１０】
【図１】実施例１に係る表示制御システム及び表示制御装置のブロック図である。
【図２】表示部に表示される画像及び発光部の複数の分割発光部を示す概念図である。
【図３】実施例１における表示制御装置の処理に関するフローチャートである。
【図４】実施例１におけるオブジェクト画像の表示位置が変化した場合の表示部の表示画像と発光部の発光状態を示す概念図である。
【図５】実施例１におけるオブジェクト画像の表示領域が変化した場合の表示部の表示画像と発光部の発光状態を示す概念図である。
【図６】実施例２に係る表示制御システムのブロック図である。
【図７】実施例２における表示制御装置の処理に関するフローチャートである。
【図８】実施例２におけるオブジェクト画像の表示位置が変化した場合の表示部の表示画像と発光部の発光状態を示す概念図である。
【図９】実施例２におけるオブジェクト画像の表示領域が変化した場合の表示部の表示画像と発光部の発光状態を示す概念図である。
【発明を実施するための形態】
【００１１】
以下、添付図面を参照して、本発明の実施例を説明する。
【００１２】
（実施例１）
図１に本実施例に係る表示制御システム及び表示制御装置を示す。図１（ａ）に示す表示制御システムは、画像生成装置１００及び表示制御装置２００からなる。
【００１３】
画像生成装置１００は、画像出力部１０１及び座標情報送信部１０２を有する。画像出力部１０１は、画像生成装置１００内の蓄積部（不図示）に蓄積されている画像や、外部入力装置（不図示）からの画像を表示制御装置２００に出力する。座標情報送信部１０２は、画像出力部１０１が出力した画像に含まれるオブジェクト画像の表示領域に関する座標情報（以下、オブジェクト画像の座標情報）を表示制御装置２００に出力する。
【００１４】
本実施例におけるオブジェクト画像とは、１フレームの画像内に含まれる部分画像（部分画像以外の領域には他の画像が存在する）として説明する。しかしこれに限られず、例えば単に表示部の一部に表示する部分画像（部分画像以外の領域の映像信号がゼロ）であってもよい。オブジェクト画像とは具体的には、例えばメニュー画面等のＧＵＩや、静止画や動画の再生画像、マルチ画面表示した際の個々の映像表示領域、ＰＣアプリのウィンドウ等である。
【００１５】
表示制御装置２００は、画像入力部２０１、表示制御部２０２、表示部２０３、及び座標情報取得部２０４、変化判断部２０５、発光制御部２０６、発光部２０７を有する。画像入力部２０１は、画像生成装置１００の画像出力部１０１から出力された画像を受信し、表示制御部２０２へ送信する。表示制御部２０２は画像入力部２０１から送られた画像を表示部２０３に表示する制御を行う。
【００１６】
座標情報取得部２０４は、座標情報送信部１０２から出力されたオブジェクト画像の座標情報を取得し、変化判断部２０５へ送信する。変化判断部２０５はオブジェクト画像の座標情報に基づいて、オブジェクト画像の表示位置及び表示領域のうち少なくともいずれか一方が変化したか否かを判断する。つまり、変化判断部２０５は、オブジェクト画像の表示位置が移動したか否か、及びオブジェクト画像の表示領域が拡大または縮小したか否かの少なくとも一方を判断する。
【００１７】
ここで、オブジェクト画像の座標情報とは、表示画像内におけるオブジェクト画像の左上座標及び右下座標からなる。図２（ａ）に示すように、１９２０×１０８０ピクセルの表示画像内におけるオブジェクト画像の左上座標（９００，０）及び右下座標（１５００，６００）からなる。オブジェクト画像の座標情報はこれに限られず、例えばオブジェクト画像の重心座標及びサイズ情報（高さ６００×幅６００ピクセル等）であってもよいし、オブジェクト画像の重心座標またはオブジェクト画像のサイズ情報のどちらか一方であってもよい。
【００１８】
変化判断部２０５の判断に基づいて発光制御部２０６は、発光部２０７の発光を制御する。発光部２０７は図２（ｂ）に示すように、画像を表示する表示部２０３を分割した複数の分割領域に対応する複数の分割発光部からなる。図２（ｂ）は発光部２０７が８×６＝４８個の分割発光部から構成される例を示している。発光制御部２０６は、複数の分割発光部の輝度を独立して制御可能である。
【００１９】
本発明の表示制御装置は、図１（ｂ）に示す表示制御装置３００のように、画像入力部２０１に代えて画像生成部３０１と、画像生成部３０１で生成される画像からオブジェクト画像の座標情報を取得する座標情報取得部３０２とを有する構成にしてもよい。また、表示部２０３、発光制御部２０６及び発光部２０７は、表示制御装置２００または３００とは別に表示装置とする構成でもよい。
【００２０】
図３に表示制御装置２００における処理のフローチャートを示す。ステップＳ３１において座標情報取得部２０４はオブジェクト画像の座標情報を取得する。ステップＳ３２において変化判断部２０５は、オブジェクト画像の座標情報に基づいて、オブジェクト画像の表示位置及び表示領域のうち少なくともいずれか一方が変化したか否かを判断する。
【００２１】
ステップＳ３２においてオブジェクト画像の表示位置が変化したと判断された場合か、オブジェクト画像の表示領域が変化したと判断された場合は、ステップＳ３３に処理を進める。ステップＳ３３において発光制御部２０６は、発光部２０７の複数の分割発光部すべてを略同一の輝度で発光させるように制御する。複数の分割発光部の輝度が所定範囲内であれば略同一の輝度とみなす。
【００２２】
ステップＳ３２においてオブジェクト画像の表示位置が変化していない、かつオブジェクト画像の表示領域が変化していないと判断された場合は、ステップＳ３４に処理を進める。ステップＳ３４において発光制御部２０６は、発光部２０７の複数の分割発光部の輝度を表示画像に応じて独立に制御する。
【００２３】
図４を用いて、オブジェクト画像の表示位置が変化した場合の表示部の表示画像と発光部の発光状態について説明する。図４（ａ）左に示すようなオブジェクト画像の表示位置から、図４（ｃ）左に示すようなオブジェクト画像の表示位置まで、オブジェクト画像の表示位置が移動（図４（ｂ）左）した場合の、発光制御部２０６の制御について説明する。
【００２４】
図４（ａ）左及び図４（ｃ）左のように、オブジェクト画像の表示位置は変化していない場合、図４（ａ）右及び図４（ｃ）右に示すように、発光制御部２０６は、発光部２０７の複数の分割発光部の発光を表示画像に応じて独立に制御する。図４（ａ）右及び図４（ｃ）右では、オブジェクト画像の表示領域に対応した分割発光部（白色領域）の輝度が、オブジェクト画像の表示領域外の分割発光部（灰色領域）より高い輝度に制御されている。発光部２０７の輝度を分割発光部毎に独立に制御する（ローカルディミング制御する）ことで、表示画像のコントラストを高めることができる。
【００２５】
図４（ｂ）左に示すようにオブジェクト画像の表示位置が変化している期間は図４（ｂ）右に示すように、発光制御部２０６は発光部２０７のすべての分割発光部を同一の輝度で発光させるように制御する。つまり発光制御部２０６は、発光部２０７のローカルディミング制御を行わない。このときの各分割発光部の輝度は、オブジェクト画像の表示位置の変化前の発光部２０７の平均輝度、つまり図４（ａ）における発光部２０７の平均輝度とする。
【００２６】
なお、この際の分割発光部の輝度は上述した値に限られることなく、例えば予め設定された輝度としてもよいし、変化前の図４（ａ）におけるオブジェクト画像の表示領域に対応する分割発光部の平均輝度としてもよい。また、変化前の図４（ａ）におけるオブジェクト画像の表示領域以外の表示領域に対応する分割発光部の平均輝度としてもよい。例えばオブジェクト画像の表示領域の大きさが所定値以下の場合には、全表示領域をオブジェクト画像の表示領域以外の表示領域に対応する分割発光部の平均輝度にした方が違和感を少なくすることができる。
【００２７】
以上のように発光部を同一の輝度に制御することで、オブジェクト画像の表示位置が変化している場合における、オブジェクト画像の端部の色ムラ等の画質劣化を抑えることができる。
【００２８】
次に図５を用いて、オブジェクト画像の表示領域が変化した場合について説明する。図５（ａ）左に示すようなオブジェクト画像の表示領域から、図５（ｃ）左に示すようなオブジェクト画像の表示領域まで、オブジェクト画像の表示領域が拡大（図５（ｂ）左）した場合の、発光制御部２０６の制御について説明する。
【００２９】
図５（ａ）左及び図５（ｃ）左のように、オブジェクト画像の表示領域が変化していない場合、図５（ａ）右及び図５（ｃ）右に示すように、発光制御部２０６は、発光部２０７の複数の分割発光部の発光を表示画像に応じて独立に制御する。図５（ａ）右及び図４（ｃ）右では、オブジェクト画像の表示領域に対応した分割発光部の輝度が、オブジェクト画像の表示領域外の分割発光部より高い輝度に制御されている。
【００３０】
図５（ｂ）左に示すようにオブジェクト画像の表示領域が変化している場合、図５（ｂ）右に示すように、発光制御部２０６は発光部２０７のすべての分割発光部を同一の輝度で発光させるように制御する。この際の分割発光部の輝度は、オブジェクト画像の表示領域の変化前の発光部２０７の平均輝度、つまり図５（ａ）における発光部２０７の平均輝度とする。なお、この際の分割発光部の輝度は上述した値に限られることなく、例えば予め設定された輝度としてもよいし、変化前の図５（ａ）におけるオブジェクト画像の表示領域に対応する分割発光部の平均輝度としてもよい。
【００３１】
図５では、オブジェクト画像の表示領域が拡大した場合の、発光制御部２０６の制御について説明したが、オブジェクト画像の表示領域が縮小した場合についても図５（ｂ）右に示すように発光制御部２０６は発光部２０７のすべての分割発光部を同一の輝度で発光させるように制御する。
【００３２】
上述した図３のステップＳ３２において、変化判断部２０５はオブジェクト画像の表示位置が単位時間に所定値以上変化したか否か、やオブジェクト画像の表示領域が単位時間に所定値以上変化したか否かを判断してもよい。オブジェクト画像の表示位置の変化及び表示領域の変化に閾値を設け、所定の閾値以上変化した場合には、ステップＳ３３のように発光制御部２０６は、発光部２０７のすべての分割発光部を同一の輝度で発光させるように制御する。また、ステップＳ３２において、オブジェクト画像の表示位置の変化または表示領域の変化のいずれか一方の変化に基づいて、オブジェクト画像の変化を判断してもよい。
【００３３】
本実施例ではオブジェクト画像が表示画像内に１つ存在する場合について説明したが、オブジェクト画像が表示画像内に複数存在する場合についても、各オブジェクト画像について上述した処理と同様の処理を行う。
【００３４】
以上のように、オブジェクト画像の表示位置及び表示領域の少なくともいずれか一方が変化した場合に複数の分割発光部を同一の輝度で発光させるように制御することにより、オブジェクト画像の端部の色ムラ等の画質劣化を抑えることができる。
【００３５】
（実施例２）
図６に本実施例に係る表示制御システムを示す。図６に示す表示制御システムは、画像生成装置１００及び表示制御装置６００からなる。実施例１と同様の動作を行うブロックには同符号を用いて説明を省略する。実施例１の図１（ｂ）に示す表示制御装置と同様に、画像入力部２０１に代えて画像生成部３０１と、画像生成部３０１で生成される画像からオブジェクト画像の座標情報を取得する座標情報取得部３０２とを有する構成にしてもよい。また、表示部２０３、発光制御部２０６及び発光部２０７は、表示制御装置６００とは別の表示装置とする構成でもよい。
【００３６】
実施例１と異なる点は、表示制御装置６００に変化方向検出部６０１を有する点である。変化方向検出部６０１は、変化判断部２０５においてオブジェクト画像の表示位置及び表示領域のいずれか一方が変化したと判断された場合に、オブジェクト画像の座標情報に基づいてオブジェクト画像の変化方向を検出する。すなわち変化方向検出部６０１は、オブジェクト画像の表示位置が変化している場合には、オブジェクト画像の表示位置の変化方向を検出し、オブジェクト画像の表示領域が変化している場合には、オブジェクト画像の表示領域の変化方向を検出する。変化方向検出部６０１は、検出したオブジェクト画像の表示位置の変化方向または表示領域の変化方向を発光制御部６０２に送信する。
【００３７】
実施例２における表示制御装置６００の処理のフローチャートを図７に示す。図３のフローチャートと同様の処理を行うステップには同符号を用いて説明を省略する。ステップＳ３２において変化判断部２０５でオブジェクト画像の表示位置及び表示領域のうち少なくともいずれか一方が変化したと判断された場合は、ステップＳ７１において変化方向検出部６０１はオブジェクト画像の変化方向を検出する。ステップＳ３２で変化判断部２０５がオブジェクト画像の表示位置が変化していると判断した場合には、ステップＳ７１で変化方向検出部６０１は、オブジェクト画像の表示位置の変化方向を検出する。ステップＳ３２で変化判断部２０５がオブジェクト画像の表示領域が変化していると判断した場合には、ステップＳ７１で変化方向検出部６０１は、オブジェクト画像の表示領域の変化方向を検出する。
【００３８】
ステップＳ７２において発光制御部６０２は、変化前のオブジェクト画像の表示領域に対応する分割発光部に対して変化方向検出部６０１で検出された変化方向の分割発光部を、変化前のオブジェクト画像の表示領域に対応する分割発光部の輝度で発光させる。この際の発光制御部６０２の制御について図８及び図９を用いて説明する。図８は、実施例２においてオブジェクト画像の表示位置が変化した場合の表示画像と発光部の発光状態を示す。図９は、実施例２においてオブジェクト画像の表示領域が変化した場合の表示画像と発光部の発光状態を示す。
【００３９】
図８（ａ）左及び図８（ｃ）左のように、オブジェクト画像の表示位置が変化していない場合は、実施例１の図４（ａ）右及び図４（ｃ）右と同様に、発光制御部６０２は発光部２０７の複数の分割発光部の発光を表示画像に応じて独立に制御する。
【００４０】
図８（ｂ）左に示すように、オブジェクト画像の表示位置が変化している場合に、発光制御部６０２はオブジェクト画像の変化方向にある分割発光部を、変化前のオブジェクト画像の表示領域に対応する分割発光部と同一の輝度で発光させるように制御する。図８（ｂ）右では、変化前のオブジェクト画像の表示領域に対応する４×４個の分割発光部に、変化前のオブジェクト画像の表示領域の左側（変化方向）の２×４個の分割発光部を加えた、６×４個の分割発光部を同一の輝度で発光させる。このとき、オブジェクト画像の変化方向にあるすべての分割発光部を発光させるように、変化前のオブジェクト画像の表示領域の左側の３×４個の分割発光部を加えた、７×４個の分割発光部を同一の輝度で発光させてもよい。
【００４１】
図９（ａ）左及び図９（ｃ）左のように、オブジェクト画像の表示領域が変化していない場合は、実施例１の図５（ａ）右及び図５（ｃ）右と同様に、発光制御部６０２は発光部２０７の複数の分割発光部の発光を表示画像に応じて独立に制御する。
【００４２】
図９（ｂ）右では、変化前のオブジェクト画像の表示領域に対応する４×４個の分割発光部に、変化前のオブジェクト画像の表示領域の左側（変化方向）の１×４個の分割発光部を加えた、５×４個の分割発光部を同一の輝度で発光させる。変化前のオブジェクト画像の表示領域に対応する分割発光部に加えて同一の輝度で発光させる変化方向の分割発光部の数や位置は、オブジェクト画像の単位時間の変化量に応じて決定してもよいし、予め設定されていてもよい。オブジェクト画像が変化方向検出部６０１で検出された変化方向へ変化した場合、オブジェクト画像の表示領域が同一の輝度になるように、変化前のオブジェクト画像の表示領域に対応する分割発光部と同一の輝度で発光させる分割発光部を決定するのが好ましい。
【００４３】
以上のようにオブジェクト画像が変化した場合、変化前のオブジェクト画像の表示領域に対して変化方向の分割発光部を、オブジェクト画像の表示領域に対応する分割発光部と同一の輝度に発光させることで、オブジェクト画像の色ムラ等の画質劣化を抑えられる。オブジェクト画像の変化が大きく、ローカルディミング制御の処理が追従できない場合であっても、変化方向を検出して予め変化方向の分割発光部をオブジェクト画像の表示領域に対応する分割発光部と同一の輝度に発光させることができる。
【符号の説明】
【００４４】
２０３  表示部
２０４  座標情報取得部
２０５  変化判断部
２０６  発光制御部
２０７  発光部
６０１  変化方向検出部
【図１】
2015179280.tif 000003
【図２】
2015179280.tif 000004
【図３】
2015179280.tif 000005
【図４】
2015179280.tif 000006
【図５】
2015179280.tif 000007
【図６】
2015179280.tif 000008
【図７】
2015179280.tif 000009
【図８】
2015179280.tif 000010
【図９】
2015179280.tif 000011
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
画面に所定の画像を表示する制御を行う表示制御手段と、
前記画面を構成する複数の分割領域に対応する複数の発光部の発光を独立して制御可能な発光制御手段と、
を備え、
前記発光制御手段は、前記所定の画像の表示領域が変化した場合、前記複数の分割領域のうち、変化前の前記所定の画像の表示領域に対応する第１領域に対する輝度と、前記複数の分割領域のうち、前記所定の画像の表示領域の変化方向の分割領域である第２領域に対する輝度とが、前記第２領域に前記所定の画像が表示されていなくとも所定の輝度となるように、前記第１領域に対応する発光部の発光と前記第２領域に対応する発光部の発光とを制御することを特徴とする表示制御装置。
【請求項２】
前記所定の画像の表示領域の変化とは、前記画面における前記所定の画像の表示位置の変化であることを特徴とする請求項１に記載の表示制御装置。
【請求項３】
前記所定の画像の表示領域の変化とは、前記画面における前記所定の画像の表示サイズの変化であることを特徴とする請求項１に記載の表示制御装置。
【請求項４】
前記発光制御手段は、前記所定の画像の表示領域の変化中においては、前記第１領域の少なくとも一部の領域に前記所定の画像が表示されなくなった場合であっても、前記第１領域に対する輝度が前記所定の輝度となるように、前記第１領域に対応する発光部の発光を制御することを特徴とする請求項２に記載の表示制御装置。
【請求項５】
前記発光制御手段は、前記所定の画像の表示領域が変化した場合、前記第１領域に対する輝度と前記第２領域に対する輝度とが、前記第２領域に前記所定の画像が表示されていなくとも互いに略同一の輝度となるように、前記第１領域に対応する発光部の発光と前記第２領域に対応する発光部の発光とを制御することを特徴とする請求項１乃至４の何れか一項に記載の表示制御装置。
【請求項６】
前記画面における前記所定の画像の表示領域に関する座標情報に基づいて、前記所定の画像の表示領域が変化したか否かを判定する判定手段をさらに備え、
前記発光制御手段は、前記判定手段が前記所定の画像の表示領域が変化したと判定した場合に、前記第１領域に対する輝度と前記第２領域に対する輝度とが、前記第２領域に前記所定の画像が表示されていなくとも前記所定の輝度となるように、前記第１領域に対応する発光部の発光と前記第２領域に対応する発光部の発光とを制御することを特徴とする請求項１乃至５の何れか一項に記載の表示制御装置。
【請求項７】
前記発光制御手段は、前記所定の画像の表示領域の変化後、前記複数の分割領域のそれぞれに対する輝度が、各分割領域に表示される画像に基づく輝度となるように、各分割領域に対応する発光部の発光を制御することを特徴とする請求項１乃至６の何れか一項に記載の表示制御装置。
【請求項８】
前記発光制御手段は、前記所定の画像の表示領域が変化した場合、前記画面を構成する全ての分割領域に対する輝度が前記所定の輝度となるように、各分割領域に対応する発光部の発光を制御することを特徴とする請求項１乃至７の何れか一項に記載の表示制御装置。
【請求項９】
前記第２領域は、前記所定の画像の表示領域の変化方向における前記第１領域に隣接する分割領域を少なくとも含むことを特徴とする請求項１乃至８の何れか一項に記載の表示制御装置。
【請求項１０】
前記所定の輝度は、前記所定の画像の表示領域の変化前における前記第１領域に対する輝度に応じた輝度であることを特徴とする請求項１乃至９のいずれか一項に記載の表示制御装置。
【請求項１１】
前記第１領域が複数の分割領域から構成される場合、前記発光制御手段は、前記所定の画像の表示領域の変化前の、前記第１領域を構成する前記複数の分割領域のそれぞれに対する輝度を平均した輝度で、前記第２領域に対応する発光部を発光させるように制御することを特徴とする請求項１乃至９のいずれか一項に記載の表示制御装置。
【請求項１２】
前記所定の輝度は、予め設定された輝度であることを特徴とする請求項１乃至９のいずれか一項に記載の表示制御装置。
【請求項１３】
画面に所定の画像を表示する制御を行う表示制御工程と、
前記画面を構成する複数の分割領域に対応する複数の発光部の発光を独立して制御する発光制御工程と、
を備え、
前記発光制御工程では、前記所定の画像の表示領域が変化した場合、前記複数の分割領域のうち、変化前の前記所定の画像の表示領域に対応する第１領域に対する輝度と、前記複数の分割領域のうち、前記所定の画像の表示領域の変化方向の分割領域である第２領域に対する輝度とが、前記第２領域に前記所定の画像が表示されていなくとも所定の輝度となるように、前記第１領域に対応する発光部の発光と前記第２領域に対応する発光部の発光とを制御することを特徴とする表示制御装置の制御方法。
【請求項１４】
前記所定の画像の表示領域の変化とは、前記画面における前記所定の画像の表示位置の変化であることを特徴とする請求項１３に記載の表示制御装置の制御方法。
【請求項１５】
前記所定の画像の表示領域の変化とは、前記画面における前記所定の画像の表示サイズの変化であることを特徴とする請求項１３に記載の表示制御装置の制御方法。
【請求項１６】
前記発光制御工程では、前記所定の画像の表示領域の変化中においては、前記第１領域の少なくとも一部の領域に前記所定の画像が表示されなくなった場合であっても、前記第１領域に対する輝度が前記所定の輝度となるように、前記第１領域に対応する発光部の発光を制御することを特徴とする請求項１４に記載の表示制御装置の制御方法。
【請求項１７】
前記発光制御工程では、前記所定の画像の表示領域が変化した場合、前記第１領域に対する輝度と前記第２領域に対する輝度とが、前記第２領域に前記所定の画像が表示されていなくとも互いに略同一の輝度となるように、前記第１領域に対応する発光部の発光と前記第２領域に対応する発光部の発光とを制御することを特徴とする請求項１３乃至１６の何れか一項に記載の表示制御装置の制御方法。
【請求項１８】
前記画面における前記所定の画像の表示領域に関する座標情報に基づいて、前記所定の画像の表示領域が変化したか否かを判定する判定工程をさらに備え、
前記発光制御工程では、前記判定工程において前記所定の画像の表示領域が変化したと判定された場合に、前記第１領域に対する輝度と前記第２領域に対する輝度とが、前記第２領域に前記所定の画像が表示されていなくとも前記所定の輝度となるように、前記第１領域に対応する発光部の発光と前記第２領域に対応する発光部の発光とを制御することを特徴とする請求項１３乃至１７の何れか一項に記載の表示制御装置の制御方法。
【請求項１９】
前記発光制御工程では、前記所定の画像の表示領域の変化後、前記複数の分割領域のそれぞれに対する輝度が、各分割領域に表示される画像に基づく輝度となるように、各分割領域に対応する発光部の発光を制御することを特徴とする請求項１３乃至１８の何れか一項に記載の表示制御装置の制御方法。
【請求項２０】
前記発光制御工程では、前記所定の画像の表示領域が変化した場合、前記画面を構成する全ての分割領域に対する輝度が前記所定の輝度となるように、各分割領域に対応する発光部の発光を制御することを特徴とする請求項１３乃至１９の何れか一項に記載の表示制御装置の制御方法。
【請求項２１】
前記第２領域は、前記所定の画像の表示領域の変化方向における前記第１領域に隣接する分割領域を少なくとも含むことを特徴とする請求項１３乃至２０の何れか一項に記載の表示制御装置の制御方法。
【請求項２２】
前記所定の輝度は、前記所定の画像の表示領域の変化前における前記第１領域に対する輝度に応じた輝度であることを特徴とする請求項１３乃至２１のいずれか一項に記載の表示制御装置の制御方法。
【請求項２３】
前記第１領域が複数の分割領域から構成される場合、前記発光制御工程では、前記所定の画像の表示領域の変化前の、前記第１領域を構成する前記複数の分割領域のそれぞれに対する輝度を平均した輝度で、前記第２領域に対応する発光部を発光させるように制御することを特徴とする請求項１３乃至２１のいずれか一項に記載の表示制御装置の制御方法。
【請求項２４】
前記所定の輝度は、予め設定された輝度であることを特徴とする請求項１３乃至２１のいずれか一項に記載の表示制御装置の制御方法。
【手続補正２】
【補正対象書類名】明細書
【補正対象項目名】０００７
【補正方法】変更
【補正の内容】
【０００７】
そこで本発明は、複数の分割領域に対応する複数の発光部の発光を独立して制御可能な発光制御部を有する表示制御装置において、所定の画像の表示領域が変化しても、色ムラ等の画質劣化を抑制することを目的とする。
【手続補正３】
【補正対象書類名】明細書
【補正対象項目名】０００８
【補正方法】変更
【補正の内容】
【０００８】
上記目的を達成するために、本発明の表示制御装置は、画面に所定の画像を表示する制御を行う表示制御手段と、前記画面を構成する複数の分割領域に対応する複数の発光部の発光を独立して制御可能な発光制御手段と、を備え、前記発光制御手段は、前記所定の画像の表示領域が変化した場合、前記複数の分割領域のうち、変化前の前記所定の画像の表示領域に対応する第１領域に対する輝度と、前記複数の分割領域のうち、前記所定の画像の表示領域の変化方向の分割領域である第２領域に対する輝度とが、前記第２領域に前記所定の画像が表示されていなくとも所定の輝度となるように、前記第１領域に対応する発光部の発光と前記第２領域に対応する発光部の発光とを制御することを特徴とする。
【手続補正４】
【補正対象書類名】明細書
【補正対象項目名】０００９
【補正方法】変更
【補正の内容】
【０００９】
本発明により、複数の分割領域に対応する複数の発光部の発光を独立して制御可能な発光制御部を有する表示制御装置において、所定の画像の表示領域が変化しても、色ムラ等の画質劣化を抑制することができる。